(57)【要約】 【課題】      要介護人に不安を与えず楽な姿勢で洗髪することができ、しかもコンセントの有無やベッドサイドの洗髪作業空間の大きさにかかわらず、あらゆる状況で使用可能な可搬式洗髪機を提供する。【解決手段】  シャンプーボール１８の先端側に高さ調節が可能であり且つ左右に首振り可能な略三角形状の台座８０を有するショルダーサポート２０が設けられているので、シャンプーボール１８をベッドＢに横付けした際、シャンプーボール１８とベッドＢとの間に形成される隙間をこのショルダーサポートが埋めることになる。このため、要介護人ＰはベッドＢの端部から投げ出された一方の肩をこのショルダーサポート２０に載置することによって肩落ちの不安感を解消することができる。【選択図】    図５
2006263110.tif 000002
【特許請求の範囲】
【請求項１】
湯水を貯留する洗髪用水タンクと、前記洗髪用水タンク内の湯水を汲み上げて洗髪に供するシャワーユニットと、洗髪後の排水を回収するシャンプーボールと、前記シャンプーボールにて回収された排水を貯留する排水タンクとが台車に搭載されてなる可搬式洗髪機であって、
前記シャンプーボールは、前記台車から立設して前記シャンプーボールを固定するシャフトの軸周りに回転可能であり、
当該シャンプーボールの先端側には、高さ調節が可能であり且つ左右に首振り可能な  略三角形状の台座を有するショルダーサポートが設けられていることを特徴とする可搬式洗髪機。
【請求項２】
前記シャンプーボールの先端上縁部には、洗髪される者の後頭隆起部或いは側頭部を載置する広幅の凹部が設けられ、且つ前記凹部の表面にはウレタンゲルまたはシリコーンゲルからなるパッドが取着されていることを特徴とする請求項１に記載の可搬式洗髪機。
【請求項３】
前記ショルダーサポートの先端には、枠状または棒状の安全バーが着脱或いは出納可能に配設されていることを特徴とする請求項１又は２に記載の可搬式洗髪機。
【請求項４】
前記シャワーユニットが交流１００Ｖを直流１２Ｖに変換するアダプターと、直流１２Ｖで作動する水中ポンプと、前記水中ポンプで汲み上げられた湯水を注水するシャワーノズルと、バッテリーチャージャーを介して前記アダプターにて変換された直流１２Ｖを蓄電するバッテリーとで構成されていることを特徴とする請求項１乃至３のいずかに記載の可搬式洗髪機。
【発明の詳細な説明】
【技術分野】
【０００１】
本発明は、可搬式の洗髪機に関し、特に起き上がることが困難な寝たきりの入院患者や老人など(以下、「要介護人」という)の洗髪を行なうための洗髪機に関する。
【背景技術】
【０００２】
従来、要介護人の洗髪をベッドの近傍で行う場合、一定量の湯水を貯留することができる洗髪用水タンクと、この洗髪用水タンク内の湯水を汲み上げて注水するシャワーユニットと、洗髪後の汚水を回収するシャンプーボールと、前記シャンプーボールによって集められた汚水を貯留する汚水溜タンクとを移動台車に搭載した可搬式洗髪機が用いられている（例えば、特許文献１参照。）。
【０００３】
この可搬式洗髪機はシャンプーボールが昇降及び水平面内で揺動できるようになっており、隣設するベッド間或いはベッドと壁との間などの洗髪作業空間が狭い場合であっても、洗髪機のシャンプーボールをベッドに横付けし、要介護人をベッドに仰臥させたままの状態で洗髪することができる。
【特許文献１】特開２００１−９５６１９号公報
【発明の開示】
【発明が解決しようとする課題】
【０００４】
しかしながら、従来の可搬式洗髪機では、シャンプーボールをベッドに横付けし、仰臥の状態にある要介護人の洗髪を行う際、洗髪される要介護人は一方の肩をベッド上から支えのない部分に投げ出さなければならず、肩からベッドの下に落下する(すなわち肩落ちする)のではないかといった不安感を覚えるという問題があった。
【０００５】
また、かかる洗髪機ではシャンプーボールの先端上縁に洗髪する要介護人の頸部を載置して使用するが、上述のように一方の肩をベッドの上から支えのない部分に投げ出した姿勢では、要介護人の頸部により多くの荷重が加わることとなり、体力的に衰えのある要介護人にとって当該洗髪機を用いた洗髪が非常に辛いものとなっていた。
【０００６】
さらに、従来の可搬式洗髪機では、当該洗髪機から延出された電気コード先端のプラグを直流１００ＶのＡＣコンセントに差し込み、これを電源としてシャワーユニットのポンプを作動させていた。このため、ＡＣコンセントが近くに有る場合はよいが、ＡＣコンセントが使用できない場合或いはＡＣコンセントからの距離が遠い場合には、電源をとることができず洗髪機の使用を断念するか或いは延長コードなどで遠くから電気を引張ってこなければならず不便であるという問題があった。
【０００７】
それゆえ、この発明の主たる課題は、要介護人に不安を与えず楽な姿勢で洗髪することができ、しかもコンセントの有無やベッドサイドの洗髪作業空間の大きさにかかわらず、あらゆる状況で使用可能な可搬式洗髪機を提供することである。
【課題を解決するための手段】
【０００８】
請求項１に記載した発明は、「湯水を貯留する洗髪用水タンク１４と、洗髪用水タンク１４内の湯水を汲み上げて洗髪に供するシャワーユニット１６と、洗髪後の排水を回収するシャンプーボール１８と、シャンプーボール１８にて回収された排水を貯留する排水タンク２２とが台車１２に搭載されてなる可搬式洗髪機１０であって、シャンプーボール１８は、台車１２から立設してシャンプーボール１８を固定するシャフト３２の軸周りに回転可能であり、当該シャンプーボール１８の先端側には、高さ調節が可能であり且つ左右に首振り可能な略三角形状の台座８０を有するショルダーサポート２０が設けられている」ことを特徴とする可搬式洗髪機１０である。
【０００９】
この発明では、シャンプーボール１８の先端側に高さ調節が可能であり且つ左右に首振り可能な略三角形状の台座８０を有するショルダーサポート２０が設けられているので、シャンプーボール１８をベッドＢに横付けした際、シャンプーボール１８とベッドＢとの間に形成される隙間をこのショルダーサポート２０が埋めることになる。このため、要介護人ＰはベッドＢの端部から投げ出された一方の肩をこのショルダーサポート２０に載置することによって肩落ちの不安感を解消することができる。
【００１０】
また、このショルダーサポート２０は高さ調節が可能であることから、ショルダーサポート２０の高さをシャンプーボール１８の上面よりも低くして段差を大きくとると共に、ショルダーサポート２０の高さとベッドＢの高さとを合わせれば、仰向けになれない要介護人Ｐを横臥の状態で洗髪することもできる。
【００１１】
なお、この発明の可搬式洗髪機１０はシャンプーボール１８もシャフト３２の軸周りに回転可能となっているため、洗髪作業空間が狭い場合であっても、洗髪機１０のシャンプーボール１８をベッドサイドに横付けして要介護人ＰをベッドＢに寝かせたままの状態で洗髪することができる。
【００１２】
請求項２に記載した発明は、請求項１に記載の可搬式洗髪機１０において、「シャンプーボール１８の先端上縁部には、洗髪される者の後頭隆起部或いは側頭部を載置する広幅の凹部７４が設けられ、且つ凹部７４の表面にはウレタンゲルまたはシリコーンゲルからなるパッド７６が取着されている」ことを特徴とするものである。
【００１３】
この発明では、シャンプーボール１８の先端上縁部に広幅の凹部７４を設け、当該凹部７４に要介護人Ｐの後頭隆起部或いは側頭部を載置するようにしているので、シャンプーボールの先端上縁部に頸部を載置する従来のものに比べて、洗髪時における利用者すなわち要介護人Ｐの体力的または肉体的な負担を軽減することができ、これにより要介護人Ｐに苦痛を与えるのを防止することができる。また、前記凹部７４の表面には、ウレタンゲルまたはシリコーンゲルからなるパッド７６が装着されているので、凹部７４から要介護人Ｐの後頭隆起部或いは側頭部に与えられる応力を分散でき、要介護人Ｐの苦痛をより一層軽減させることができる。
【００１４】
請求項３に記載した発明は、請求項１または２に記載の可搬式洗髪機１０において、「ショルダーサポート２０の先端には、枠状または棒状の安全バー９０が着脱或いは出納可能に配設されている」ことを特徴とするもので、これにより、ショルダーサポート２０に載置した肩が当該ショルダーサポート２０から脱落するのを防止できると共に、洗髪時に要介護人Ｐが安全バー９０を握ることによって転落の不安を解消することができる。
【００１５】
請求項４に記載した発明では、請求項１乃至３のいずれかに記載の可搬式洗髪機１０において、「シャワーユニット１６が交流１００Ｖを直流１２Ｖに変換するアダプター５６と、直流１２Ｖで作動する水中ポンプ５８と、水中ポンプ５８で汲み上げられた湯水を注水するシャワーノズル６２と、バッテリーチャージャー６４を介してアダプター５６にて変換された直流１２Ｖを蓄電するバッテリー６６とで構成されている」ことを特徴とするものである。
【００１６】
この発明では、室内に設置されているコンセントから取った交流１００Ｖを直流１２Ｖに変換し、これをバッテリー６６に蓄電すると共に、洗髪用水タンク１４内の湯水を汲み上げるポンプとして、この直流１２Ｖで作動する水中ポンプ５８を使用するようにしているので、ＡＣコンセントの電源を水中ポンプ５８の作動に使用できるのは勿論のこと、ＡＣコンセントがないか或いはＡＣコンセントが使用できない場合であっても、バッテリー６６によって水中ポンプ５８を作動させて洗髪用水タンク１４の湯水を汲み上げ、シャワーノズル６２で注水することができる。
【００１７】
また、直流１２Ｖの水中ポンプ５８は小型で安価なものであることから、焼き付きなどポンプに何らかのトラブルが発生した場合であっても、消耗品として水中ポンプ５８を交換するだけで可搬式洗髪機１０の使用を継続することができる。
【発明の効果】
【００１８】
本発明によれば、シャンプーボールとベッドとの隙間をショルダーサポートが埋めているので、要介護人はベッドの上から投げ出された一方の肩をこのショルダーサポートに載置することができ、肩落ちの不安感を解消することができる。また、このショルダーサポートは高さ調節が可能であることから、ショルダーサポートの高さをシャンプーボールの上面よりも低くして段差を大きくとると共に、ショルダーサポートの高さとベッドの高さとを合わせれば、仰向けになれない要介護人を横臥の状態で洗髪することもできる。
【００１９】
また、シャンプーボールの先端上縁部に広幅の凹部を設けると共に、当該凹部の表面にウレタンゲルまたはシリコーンゲルからなるパッドが装着し、この部分に要介護人の後頭隆起部或いは側頭部を載置することによって、洗髪時における要介護人の体力的または肉体的な負担を軽減させ、要介護人に苦痛を与えるのを防止することができる。
【００２０】
さらに、ショルダーサポートの先端に枠状または棒状の安全バーを着脱或いは出納可能に配設することによって、ショルダーサポートに載置した肩が当該ショルダーサポートから脱落するのを防止できると共に、洗髪時に要介護人が安全バーを握ることによって転落の不安を解消することができる。
【００２１】
そして、室内に設置されているコンセントから取った交流１００Ｖを直流１２Ｖに変換し、これをバッテリーに蓄電すると共に、洗髪用水タンク内の湯水を汲み上げるポンプとしてこの直流１２Ｖで作動する水中ポンプを使用することによって、コンセントの電源を水中ポンプの作動に使用できるのは勿論のこと、コンセントがないか或いはコンセントが使用できない場合であっても、バッテリーによって水中ポンプを作動させ、洗髪用水タンクの湯水を汲み上げてシャワーノズルで注水することができる。
【００２２】
したがって、要介護人に不安を与えず楽な姿勢で洗髪することができ、しかもコンセントの有無やベッドサイドの洗髪作業空間の大きさにかかわらず、あらゆる状況で使用可能な可搬式洗髪機を提供することができる。
【発明を実施するための最良の形態】
【００２３】
以下、本発明の可搬式洗髪機を図面に従って詳述する。図１は本発明の一実施例(第１実施例)の可搬式洗髪機１０を示す正面斜視図であり、図２はその背面斜視図である。これらの図が示すように、本発明の可搬式洗髪機１０は、台車１２の上に、洗髪用水タンク１４，シャワーユニット１６,シャンプーボール１８，ショルダーサポート２０および排水タンク２２を搭載したものである。
【００２４】
台車１２は、洗髪機１０をベッドの近傍に近づけて設置するためのものであり、その下部先端両側には前輪として台車への取付部分が旋回しない固定式の車輪２４が、また下部後端両側には後輪として台車への取付部分で旋回可能な自在輪２６が取り付けられると共に、後端両側には手押し用のハンドル２８が取り付けられている。
【００２５】
ここで、先端側(すなわち前輪)の固定式の車輪２４には、洗髪機使用時に車輪２４が回転しないようにロックするブレーキ２４ａが取り付けられており、前輪側を固定式とした構成と相俟って、洗髪作業時に、荷重のかかる可搬式洗髪機１０の先端側が不用意に移動するのを防止している(図１参照)。
【００２６】
なお、図示しないが、前輪として固定式の車輪２４に替えて、台車１２への取付部分にて旋回可能な自在輪であって、車輪の回転と台車１２への取付部分(首部旋回部)の旋回とを同時にロックするトータルロック機構を備えたものを用いるようにしてもよい。このようなトータルロック付自在輪を用いることによって、洗髪作業時に可搬式洗髪機１０の先端が不用意に移動するのを防止できるのは勿論のこと、当該ロックを解除すれば、運搬時における可搬式洗髪機１０の旋回性を格段に向上させることができる。さらにこの場合、後輪の外径を前輪の外径よりも大きくすれば、可搬式洗髪機１０の運搬をより一層容易にすることができる。
【００２７】
ハンドル２８が設けられた台車１２の後部には洗髪用水タンク１４やシャワーユニット１６の一部を収納する後部ケーシング３０が設けられており、車輪２４が設けられた台車１２の先端部には後述するシャンプーボール１８を支持するシャフト３２が立設された前部ケーシング３４が設けられている。
【００２８】
後部ケーシング３０の側面には、内部の洗髪用水タンク１４に湯水を供給するための給湯コック３６と、洗髪用水タンク１４の水位を示す水位ゲージ３８とが取り付けられており、後部ケーシング３０の背面には、内部に収納したシャワーユニット１６に電気を供給するためのＡＣコンセント接続チャック４０と、可搬式洗髪機１０をＡＣコンセント(図示せず)に接続して使用する際、ＡＣコンセントから供給される交流１００Ｖの電気を例えばドライヤーなどの他の器具に供給するプラグ差込口４２とが設けられている(図２参照)。なお、水位ゲージ３８の下端３８ａは、後部ケーシング３０の側面に対して着脱可能に取り付けられており、ここから洗髪用水タンク１４内の湯水を排水できるようになっている。
【００２９】
また、後部ケーシング３０の上部には、中央にタオルやシャンプーなどの小物を収容するトレイ４４が凹設された蓋体３０ａが取り付けられており、この蓋体３０ａを取り外すことによって、後部ケーシング３０内の点検や(後述する)水中ポンプ５８の交換などができるようになっている。
【００３０】
そして、後部ケーシング３０の背面下端には、段差などを乗り越える際、足で押さえて台車１２の先端側を浮かせるためのステップ４６が取り付けられている。
【００３１】
一方、前部ケーシング３４の幅方向中央の後端側には上述したようにシャフト３２が回転可能に立設されており、前部ケーシング３４における左右両側面それぞれの下側には、後述するシャワーユニット１６の運転を制御(オン・オフ)する足踏スイッチ４８が取り付けられている。このように台車１２先端の両側に足踏スイッチ４８を設けることによって台車１２の向きがどのような場合であっても、いずれか一方の足踏スイッチ４８を用いてシャワーユニット１６の運転を制御することができる。
【００３２】
また、前部ケーシング３４の前面にはシャフト３２の回転を制御する螺子式のシャフト回転ロックハンドル５０が装備されている。なお、シャフト回転ロックハンドル５０はこれを操作することによってシャフト３２の回転を制御できるものであれば例えばカムロック式など如何なるものであってもよい。
【００３３】
洗髪用水タンク１４(図３参照)は、ポリエチレンやポリプロピレンなどの合成樹脂を成形した容器で、洗髪に使用する湯水を貯留するものである。この洗髪用水タンク１４の外表面は発泡スチロールなどの断熱材５２で被覆されており、内部の湯水がすぐに冷めないようになっている。なお、図示しないが洗髪用水タンク１４の近傍にヒータを設けるようにしてもよい。
【００３４】
この洗髪用水タンク１４の上面には蓋付きの開口１４ａが設けられており、給湯ホース５４を介して洗髪用水タンク１４の内部と給湯コック３６とが連通するようになっている。また、洗髪用水タンク１４の内部には、後述するシャワーホース６０を接続した水中ポンプ５８(図４参照)が投入されている。
【００３５】
シャワーユニット１６(図３及び図４参照)は、洗髪用水タンク１４に貯留している湯水を汲み上げて注水するためのものであり、交流１００Ｖを直流１２Ｖに変換するアダプター５６と、直流１２Ｖで作動する低圧の水中ポンプ５８と、シャワーホース６０を介して水中ポンプ５８に接続され、当該ポンプ５８で汲み上げられた湯水を注水するシャワーノズル６２と、バッテリーチャージャー６４を介してアダプター５６にて変換された直流１２Ｖを蓄電するバッテリー６６とで構成されている。
【００３６】
このシャワーユニット１６は複数のリレー６８並びに配線７０を介して前部ケーシング３４に設けられた足踏スイッチ４８に接続されており、図４に示すような回路が構成されている。このような回路を構成することによって、ＡＣコンセントから供給させる交流１００Ｖおよびバッテリー６６から供給される直流１２Ｖの両方で水中ポンプ５８を作動させることができる。
【００３７】
シャンプーボール１８は、ＦＲＰなどの軽量で且つ強靭な材料からなり、シャワーノズル６２で注水して洗髪に使用した排水を回収する漏斗状の部材である。このシャンプーボール１８の中央近傍には排水口７２が開口されており、先端側上縁にはその幅Ｗが拡大され、要介護人Ｐの後頭隆起部もしくは側頭部が載置される広幅の凹部７４が設けられている。また、凹部７４の上面にはウレタンゲルまたはシリコーンゲルからなるパッド７６が敷設されている。さらに、シャンプーボール１８の後端側上縁にはその一部が凹状に切欠され、シャンプーノズル６２を掛止するノズル掛止部７８が設けられている。
【００３８】
そして、このシャンプーボール１８は、その重心とシャフト３２の軸心とが略一致するようにしてシャフト３２の上端側に固定されている。このため、シャンプーボール１８は、シャフト３２を軸に回転可能となっている。
【００３９】
なお、要介護人が使用するベッドは一般的にその高さが調節可能であることから、シャンプーボール１８の高さは、介護する者(要介護人の洗髪作業を行う者)の腰への負担が少なく洗髪作業がし易いのと同時に、シャンプーボール１８および後述するショルダーサポート２０に要介護人の荷重がかかった際に可搬式洗髪機１０が転倒しないような所定の高さ(具体的にはシャンプーボール１８上端が床から概ね７０〜８０ｃｍとなる高さ)に固定するのが好ましい。
【００４０】
ショルダーサポート２０は、可搬式洗髪機１０をベッドサイドに横付けした際に、ベッドサイドとシャンプーボール１８との間に形成される隙間を埋め、ベッドの端部から投げ出される要介護人の肩を載置するためのものであり、頂部が鋭角に形成された略三角形状の台座８０を有する。この台座８０の上面にはクッションが配設されており、頂部下面にはシャフト８２が回転可能に垂設されている。そして、このシャフト８２は、シャンプーボール１８を支持するシャフト３２からシャンプーボール１８の先端方向に向けて略水平に延ばされた水平杆８４の先端に高さ調節可能に取り付けられている。このため、台座８０はシャンプーボール１８の先端側にて高さ調節並びに左右への首振り可能に配設されることとなる。なお、シャフト８２と水平杆８４との連結部分には、シャフト８２の係止位置(すなわち台座８０の高さ)を調整する螺子式或いはカムロック式(図１の場合は螺子式)の高さ調整ハンドル８６が取り付けられている。
【００４１】
排水タンク２２は、ポリエチレンやポリプロピレンなどの合成樹脂を成形した容器で、シャンプーボール１８にて回収された排水を貯留するためのものである。この排水タンク２２は後部ケーシング３０と前部ケーシング３４との間の台車１２中央部に着脱可能に配設されており、可撓性のホース８８を介してその内部とシャンプーボール１８の排水口とが連通するようになっている。
【００４２】
次に、以上のように構成された可搬式洗髪機１０を使用する際には、まず、ＡＣコンセント接続チャック４０にプラグ付電源コード(図示せず)を接続し、当該コードのプラグをＡＣコンセント(図示せず)に差し込んでバッテリー６６を充電すると共に、給湯コック３６と湯沸かし器などの給湯源(図示せず)とをホース等で接続して洗髪用水タンク１４内に４０℃前後の湯水を充填する。
【００４３】
続いて、ＡＣコンセントからプラグを引き抜き、可搬式洗髪機１０を要介護人Ｐが寝ているベッドＢのベッドサイドまで運んで横付けする(図５参照)。そして、台座８０の上面がベッドＢの上面と面一になるようにショルダーサポート２０(より詳しくは台座８０)の高さを調整すると共に、シャンプーボール１８を回転させ、その先端側がベッドＢの方を向くようにする。すると、シャンプーボール１８の回転に伴い、その先端側に配設されたショルダーサポート２０も回転し、シャンプーボール１８とベッドＢとの隙間を埋めるようになる。
【００４４】
なお、ベッドサイドの空間が広い場合には、図５の点線で示したように、ベッドＢの側面と可搬式洗髪機１０の先端とが対面するように配置してもよい。このように配置することによって可搬式洗髪機１０の左右に取り付けた足踏スイッチ４８の両方を使用することができる。また、ベッドサイドに配置した可搬式洗髪機１０の近くにＡＣコンセントが有る場合には、ＡＣコンセントと可搬式洗髪機１０とを電気的に接続し、当該コンセントから電気を取りながら可搬式洗髪機１０を使用するようにしてもよい。
【００４５】
そして、要介護人Ｐの一方の肩をショルダーサポート２０に載置すると共に、要介護人Ｐが仰臥の場合には後頭隆起部を、一方、横臥の場合には側頭部をシャンプーボール１８の先端側に取り付けたパッド７６の上に載置し、然る後、足踏スイッチ４８を操作してシャワーノズル６２の注水をオン・オフしながら要介護人Ｐの洗髪作業を行なう。
【００４６】
本実施例の可搬式洗髪機１０によれば、シャンプーボール１８の先端側に高さ調節が可能であり且つ左右に首振り可能な略三角形状の台座８０を有するショルダーサポート２０が設けられているので、要介護人ＰはベッドＢの端部から投げ出された一方の肩をこのショルダーサポート２０に載置することによって、シャンプーボール１８の凹部７４に載置した後頭隆起部或いは側頭部に応力が集中するのを防止できると共に、肩落ちの不安感を解消することができる。
【００４７】
また、このショルダーサポート２０は高さ調節が可能であることから、ショルダーサポート２０の高さをシャンプーボール１８の上面よりも低くして段差を大きくとると共に、ショルダーサポート２０の高さとベッドの高さとを合わせれば、仰向けになれない要介護人Ｐを横臥の状態で洗髪することもできる。
【００４８】
さらに、シャンプーボール１８の先端上縁部に広幅の凹部７４を設け、当該凹部７４に要介護人Ｐの後頭隆起部或いは側頭部を載置するようにしているので、シャンプーボールの先端上縁部に頸部を載置する従来のものに比べて、洗髪時における要介護人Ｐの体力的または肉体的な負担を軽減することができ、これにより要介護人Ｐに苦痛を与えるのを防止することができる。また、凹部７４の表面には、ウレタンゲルまたはシリコーンゲルからなるパッド７６が装着されているので、凹部７４から要介護人Ｐの後頭隆起部或いは側頭部に与えられる応力を分散でき、要介護人の苦痛をより一層軽減させることができる。
【００４９】
そして、室内に設置されているＡＣコンセントから取った交流１００Ｖを直流１２Ｖに変換し、これをバッテリー６６に蓄電すると共に、洗髪用水タンク１４内の湯水を汲み上げるポンプとして、この直流１２Ｖで作動する低圧の水中ポンプ５８を使用するようにしているので、ＡＣコンセントの電源を水中ポンプ５８の作動に使用できるのは勿論のこと、ＡＣコンセントがないか或いはＡＣコンセントが使用できない場合であっても、バッテリー６６によって水中ポンプ５８を作動させて洗髪用水タンク１４の湯水を汲み上げ、シャワーノズル６２で注水することができる。また、直流１２Ｖで作動する低圧の水中ポンプ５８は小型で安価なものであることから、焼き付きなどポンプ５８に何らかのトラブルが発生した場合であっても、消耗品として水中ポンプ５８を交換するだけで可搬式洗髪機１０の使用を継続することができる(つまり、メンテナンスが容易である)。
【００５０】
次に、図６に示す第２実施例の可搬式洗髪機１０について説明する。上述した第１実施例のものと異なる点は、ショルダーサポート２０の台座８０の先端側(シャフト８２が垂設された頂部に対向する位置)に安全バー９０が取り付けられている点である。なお、これ以外の部分は前記第１実施例と同じであるので、第１実施例の説明を援用して本実施例の説明に代える。
【００５１】
安全バー９０は、金属やＦＲＰなどの強靭な材料からなる枠状または棒状の部材(図６の場合は枠状)で、ショルダーサポート２０の台座８０の先端側に着脱或いは出納可能に配設され(図６の場合は出納式)、ショルダーサポート２０に載置した要介護人の肩が当該ショルダーサポート２０から脱落しないようにするためのものである。
【００５２】
かかる安全バー９０を設けることによって、ショルダーサポート２０に載置した肩が当該ショルダーサポート２０から脱落するのを防止できるのは勿論のこと、洗髪時に要介護人が安全バー９０を握ることによって転落の不安を解消することができる。
【図面の簡単な説明】
【００５３】
【図１】本発明の一実施例の可搬式洗髪機を示す正面斜視図である。
【図２】本発明の一実施例の可搬式洗髪機を示す背面斜視図である。
【図３】本発明の一実施例の可搬式洗髪機を示す部分分解平面図である。
【図４】本発明におけるシャワーユニットの一例を示す回路図である。
【図５】本発明の一実施例の可搬式洗髪機の使用状態を示す説明図である。
【図６】本発明の一実施例の可搬式洗髪機を示す正面斜視図である。
【符号の説明】
【００５４】
１０…可搬式洗髪機
１２…台車
１４…洗髪用水タンク
１６…シャワーユニット
１８…シャンプーボール
２０…ショルダーサポート
２２…排水タンク
２４…固定式の車輪
２６…自在輪
２８…ハンドル
３０…後部ケーシング
３２…シャフト
３４…前部ケーシング
４０…ＡＣコンセント接続チャック
４２…プラグ差込口
４４…トレイ
４８…足踏スイッチ
５０…シャフト回転ロックハンドル
５２…断熱材
５４…給湯ホース
５６…(直流１２Ｖ変換)アダプター
５８…水中ポンプ
６０…シャワーホース
６２…シャワーノズル
６４…バッテリーチャージャー
６６…バッテリー
６８…リレー
７０…配線
７４…凹部
７６…パッド
８０…台座
８２…シャフト
８４…水平杆
８６…高さ調整ハンドル
９０…安全バー
【図１】
2006263110.tif 000003
【図２】
2006263110.tif 000004
【図３】
2006263110.tif 000005
【図４】
2006263110.tif 000006
【図５】
2006263110.tif 000007
【図６】
2006263110.tif 000008